(57)【要約】【課題】表示装置の画面に表示されたコンテンツと同一のものとして視認可能な印刷物が容易に得られるようになるコンテンツ作成支援サーバー装置の提供。【解決手段】第１テンプレート記憶手段21及び第２テンプレート記憶手段22に、それぞれ同じレイアウトを有するがファイル形式が相違する複数種類のテンプレートPH, PPを記憶させておき、且つ、同じレイアウトのテンプレートPH, PPには、同じ識別コードを付与しておく。これにより、第１テンプレート記憶手段21及び第２テンプレート記憶手段22のいずれか一方からテンプレートPH, PPを選択すれば、選択したテンプレートPH, PPの識別コードで検索することで、他方からも同じレイアウトのテンプレートPH, PPを自動的に選択することができ、自動的に選択されたテンプレートPH, PPにも、ユーザーが選んだ画像GD及び原稿TDを貼り付けるができるので、両方のファイル形式でコンテンツを自動的に生成することができる。【選択図】    図２
2006293493.tif 000002
【特許請求の範囲】
【請求項１】
電気通信回線を通じてクライアント装置の閲覧ソフトウェアで閲覧可能なコンテンツをユーザーがそのクライアント装置で作成するにあたり、前記コンテンツの作成を電気通信回線を通じて支援するコンテンツ作成支援サーバー装置であって、
図表を含む画像が貼り付けられる画像領域及び文書を含む原稿が貼り付けられる原稿領域の少なくとも一方についてのレイアウトを規定するテンプレートを台紙として表示装置の画面に表示し、このテンプレートに画像及び原稿の少なくとも一方を貼り付ける操作をユーザーに行わせる作成案内手段と、
テンプレートに貼り付けられる複数種類の画像が画像識別コードを付されて記憶されている画像記憶手段と、
前記作成案内手段によりテンプレートに画像を貼り付ける操作を行う際に、前記画像記憶手段に記憶された画像を複数表示してユーザーに選択させる画像選択案内手段と、
テンプレートに貼り付けられる複数種類の原稿が原稿識別コードを付されて記憶されている原稿記憶手段と、
前記作成案内手段によりテンプレートに原稿を貼り付ける操作を行う際に、前記原稿記憶手段に記憶された原稿を複数表示してユーザーに選択させる原稿選択案内手段と、
画像領域及び原稿領域の少なくとも一方についてのレイアウトが相違する複数種類のテンプレートが電気通信回線を通じた閲覧用のファイル形式で記憶されている第１テンプレート記憶手段と、
この第１テンプレート記憶手段に記憶されているものとそれぞれ同じレイアウトを有する複数種類のテンプレートが文書表示用のファイル形式で記憶されている第２テンプレート記憶手段と、
前記作成案内手段によりテンプレートを表示装置の画面に表示する際に、前記第１テンプレート記憶手段及び前記第２テンプレート記憶手段の一方に記憶されたテンプレートを複数表示してユーザーに選択させるテンプレート選択案内手段とを備え、
第１テンプレート記憶手段及び第２テンプレート記憶手段のそれぞれに記憶されている互いに同じレイアウトを有するテンプレートには、互いに同一の識別コードと、ファイル形式に応じた互いに異なる拡張子とが付されていることを特徴とするコンテンツ作成支援サーバー装置。
【請求項２】
前記原稿記憶手段は、前記コンテンツの作成中に、ユーザーが新規に作成した文書を含む新原稿をその場で記憶させることができるものであり、前記原稿選択案内手段は、現在作成中の前記コンテンツに採用するために、即座に前記新原稿をユーザーに選択させることができるものとなっていることを特徴とする請求項１記載のコンテンツ作成支援サーバー装置。
【請求項３】
前記画像記憶手段は、ユーザーが新たな画像を任意に記憶させることができるものであり、前記画像選択案内手段は、記憶した前記新たな画像を即座にユーザーに選択させることができるものとなっていることを特徴とする請求項１又は２記載のコンテンツ作成支援サーバー装置。
【請求項４】
前記第１テンプレート記憶手段及び前記第２テンプレート記憶手段に記憶されているテンプレートには、サンプル用画像及びサンプル用原稿の少なくとも一方が削除容易な状態となって仮貼り付けされていることを特徴とする請求項１から請求項３までのいずれかに記載のコンテンツ作成支援サーバー装置。
【請求項５】
前記第１テンプレート記憶手段には、ＨＴＭＬ形式でテンプレートが記憶され、前記第２テンプレート記憶手段には、ＰＤＦ形式でテンプレートが記憶されていることを特徴とする請求項１から請求項４までのいずれかに記載のコンテンツ作成支援サーバー装置。
【発明の詳細な説明】
【技術分野】
【０００１】
本発明は、電気通信回線を通じてクライアント装置の閲覧ソフトウェアで閲覧可能なホームページ等のコンテンツを作成するにあたり、コンテンツの作成を電気通信回線を通じて支援するコンテンツ作成支援サーバー装置に関する。
【背景技術】
【０００２】
従来から、インターネットを利用すれば、様々なホームページを閲覧することができるようになっている。例えば、一個人が趣味で運営しているサイト、小売業者が商品を通信販売するために運営しているサイト、及び、企業が広報活動の一環として運営しているサイト等がインターネットを通じて閲覧可能となっている。
このうち、企業が広報活動の一環として開設したホームページには、自社の業務内容等を広く一般に知らしめるために、印刷されたパンフレットと同様の内容を有する会社案内のコンテンツが含まれている。
【０００３】
このようなホームページは、作成するのに高度な作成技術や知識を要求されると考えられていたが、高度な作成技術や知識を持たない人でも、容易に且つ自由にホームページの作成が行えるように、ホームページの作成を支援するシステムやプログラム等が多数提案されている（例えば、特許文献１参照）。
【特許文献１】特開２００４−３０２７６０号公報
【発明の開示】
【発明が解決しようとする課題】
【０００４】
従来のホームページでは、ブラウザソフトウェアがインストールされたパーソナルコンピュータ等の端末装置で容易に閲覧できるように、閲覧に適したファイル形式、例えば、ＨＴＭＬ（Hypertext Markup Language ）形式で当該ホームページが作成されているので、ホームページをプリンタ装置等で印刷すると、印刷された紙面に表示されるものと、表示装置の画面に表示されるものとが同一のものとして視認できないことがある。
このため、ホームページ等のコンテンツを印刷したものを、そのまま当該コンテンツの内容を記載したパンフレットとして利用したいという、ユーザーの要望に対応することができない、という問題がある。
【０００５】
本発明は、以上のような課題に鑑みてなされたものであり、その目的とするところは、表示装置の画面に表示されたコンテンツと同一のものとして視認可能な印刷物が容易に得られるようになるコンテンツ作成支援サーバー装置を提供することを目的とする。
【課題を解決するための手段】
【０００６】
以下に説明する各発明は、上記した目的を達成するためになされたものであり、図面に示した発明の実施の形態を用いて、以下に説明する。
なお、以下の各構成要件には、説明の便宜上、実施の形態において用いた符号を付すが、これにより、本発明の技術的範囲を限定するものではない。
請求項１に記載の発明は、次の点を特徴とする。
すなわち、請求項１記載の発明は、電気通信回線(４)を通じてクライアント装置(３)の閲覧ソフトウェアで閲覧可能なコンテンツをユーザーがそのクライアント装置(３)で作成するにあたり、前記コンテンツの作成を電気通信回線(４)を通じて支援するコンテンツ作成支援サーバー装置(４)であって、図表を含む画像(GD)が貼り付けられる画像領域(GA)及び文書を含む原稿(TD)が貼り付けられる原稿領域(TA)の少なくとも一方についてのレイアウトを規定するテンプレート(PH, PP)を台紙として表示装置の画面に表示し、このテンプレート(PH, PP)に画像(GD)及び原稿(TD)の少なくとも一方を貼り付ける操作をユーザーに行わせる作成案内手段(12)と、テンプレート(PH, PP)に貼り付けられる複数種類の画像(GA)が画像識別コードを付されて記憶されている画像記憶手段(23)と、前記作成案内手段(12)によりテンプレート(PH, PP)に画像(GD)を貼り付ける操作を行う際に、前記画像記憶手段(23)に記憶された画像(GD)を複数表示してユーザーに選択させる画像選択案内手段(13)と、テンプレート(PH, PP)に貼り付けられる複数種類の原稿(TD)が原稿識別コードを付されて記憶されている原稿記憶手段(24)と、前記作成案内手段(12)によりテンプレート(PH, PP)に原稿(TD)を貼り付ける操作を行う際に、前記原稿記憶手段(24)に記憶された原稿(TD)を複数表示してユーザーに選択させる原稿選択案内手段(14)と、画像領域(GA)及び原稿領域(TA)の少なくとも一方についてのレイアウトが相違する複数種類のテンプレート(PH)が電気通信回線(４)を通じた閲覧用のファイル形式で記憶されている第１テンプレート記憶手段(21)と、この第１テンプレート記憶手段(21)に記憶されているものとそれぞれ同じレイアウトを有する複数種類のテンプレート(PP)が文書表示用のファイル形式で記憶されている第２テンプレート記憶手段(22)と、前記作成案内手段(12)によりテンプレート(PH, PP)を表示装置の画面に表示する際に、前記第１テンプレート記憶手段(21)及び前記第２テンプレート記憶手段(22)の一方に記憶されたテンプレート(PH, PP)を複数表示してユーザーに選択させるテンプレート選択案内手段(15)とを備え、第１テンプレート記憶手段(21)及び第２テンプレート記憶手段(22)のそれぞれに記憶されている互いに同じレイアウトを有するテンプレート(PH, PP)には、互いに同一の識別コードと、ファイル形式に応じた互いに異なる拡張子とが付されていることを特徴とする。
【０００７】
請求項２記載の発明は、前述した請求項１記載の発明において、次の特徴点を備えているものである。
すなわち、請求項２記載の発明は、前記原稿記憶手段(24)として、前記コンテンツの作成中に、ユーザーが新規に作成した文書を含む新原稿をその場で記憶することができるものが採用され、前記原稿選択案内手段(14)は、現在作成中の前記コンテンツに採用するために、即座に前記新原稿をユーザーに選択させることができるものであることを特徴とするものである。
請求項３記載の発明は、前述した請求項１又は２記載の発明において、次の特徴点を備えているものである。
【０００８】
すなわち、請求項３記載の発明は、前記画像記憶手段(23)として、ユーザーが新たな画像を任意に記憶させることができるものであり、前記画像選択案内手段(13)は、記憶した前記新たな画像を即座にユーザーに選択させることができるものであることを特徴とするものである。
請求項４記載の発明は、前述した請求項１から請求項３までのいずれかに記載の発明において、次の特徴点を備えているものである。
すなわち、請求項４記載の発明は、前記第１テンプレート記憶手段(21)及び前記第２テンプレート記憶手段(22)に記憶されているテンプレート(PH, PP)に、サンプル用画像及びサンプル用原稿の少なくとも一方が削除容易な状態となって仮貼り付けされていることを特徴とする。
【０００９】
請求項５記載の発明は、前述した請求項１から請求項４までのいずれかに記載の発明において、次の特徴点を備えているものである。
すなわち、請求項５記載の発明は、前記第１テンプレート記憶手段(21)には、ＨＴＭＬ形式でテンプレート(PH)が記憶され、前記第２テンプレート記憶手段(22)には、ＰＤＦ形式でテンプレート(PP)が記憶されていることを特徴とする。
【発明の効果】
【００１０】
（請求項１の効果）
以上のように構成されている本発明は、以下に記載されるような効果を奏する。
すなわち、請求項１に記載の発明によれば、ユーザーは、第１テンプレート記憶手段及び第２テンプレート記憶手段のいずれか一方に記憶された複数種類のテンプレートの中から、適当なものを一つ選び、このテンプレートに貼り付けるために、画像記憶手段に記憶された複数種類の画像の中から適当な画像を選び、さらに、原稿記憶手段に記憶された複数種類の原稿の中から適当な原稿を選び、選んだ画像及び原稿をテンプレートに貼り付けることにより、所望のコンテンツを作成することができる。
【００１１】
ここで、第１テンプレート記憶手段及び第２テンプレート記憶手段には、それぞれ同じレイアウトを有する複数種類のテンプレートが記憶され、これらのテンプレートは、ファイル形式が相違しているが同じ識別コードが付与されている。
このため、第１テンプレート記憶手段及び第２テンプレート記憶手段のいずれか一方からテンプレートを選択し、選択したテンプレートの識別コードで検索すれば、他方からも同じレイアウトのテンプレートを自動的に選択することができ、自動的に選択されたテンプレートにも、ユーザーが選んだ画像及び原稿をテンプレートを貼り付けことができるので、ファイル形式が異なるコンテンツを自動的に生成することができる。
【００１２】
従って、ユーザーがコンテンツを生成させる操作を行うことにより、電気通信回線を通じた閲覧用のファイル形式のコンテンツと、文書表示用のファイル形式のコンテンツの両方を生成することができ、表示装置の画面に表示されたコンテンツと同一のものとして視認可能な印刷物を容易に得ることができる。また、印刷物として生成したコンテンツを作成すれば、印刷物と同一のものとして視認可能となる画面表示用のコンテンツを容易に得ることができる。
（請求項２の効果）
請求項２記載の発明によれば、上記した請求項１記載の発明の効果に加え、次のような効果を奏する。
【００１３】
すなわち、請求項２記載の発明によれば、ユーザーが新規に作成した文書をコンテンツに使用したい場合、新規に作成した文書を原稿として原稿記憶手段に新たに記憶させれば、当該新規作成文書は、原稿記憶手段に記憶された中から即座に選択でき、容易且つ速やかに、コンテンツに使用することができる。従って、ユーザーが新規に作成した文書を直接コンテンツに入力しなくとも、文書の直接入力操作と同じ程度に簡単、且つ、速やかに、新規に作成した文書をコンテンツに掲載することができる。
（請求項３の効果）
請求項３記載の発明によれば、上記した請求項１又は２記載の発明の効果に加え、次のような効果を奏する。
【００１４】
すなわち、請求項３記載の発明によれば、画像記憶手段に未だ記憶されていない新たな画像をユーザーがコンテンツに使用したい場合、新たな画像を原稿記憶手段に記憶させれば、当該新規画像は、画像記憶手段に記憶された中から即座に選択でき、選択された画像は、自動的にコンテンツに貼り付けられるようになる。従って、コンテンツに貼り付けられるように、ユーザーが新規に得た画像を加工する必要がなくなり、画像を速やかにコンテンツに掲載することができる。
（請求項４の効果）
請求項４記載の発明によれば、上記した請求項１から請求項３までのいずれかに記載の発明の効果に加え、次のような効果を奏する。
【００１５】
すなわち、請求項４記載の発明によれば、第１テンプレート記憶手段及び第２テンプレート記憶手段のいずれかに記憶されているの中から一のテンプレートをユーザーが選ぶにあたり、テンプレートに仮貼り付けされたサンプル用画像及びサンプル用原稿が、当該テンプレートの具体的なイメージをユーザーに与えるようになり、ユーザーが複数のテンプレートの中から一のテンプレートを選ぶ際に、どのテンプレートが作成中のコンテンツにふさわしいものであるかの判断を支援するようになり、テンプレートの選択がより速やかに行えるようになる。
しかも、サンプル用画像及びサンプル用原稿は、テンプレートに仮貼り付けされただけなので、テンプレートの選択が終わったら、テンプレートからサンプル用画像及びサンプル用原稿を容易に取り除くことができ、テンプレートの選択時に、ユーザーがテンプレートだけでなくサンプル用画像及びサンプル用原稿をも参照できるようにしても、コンテンツの作成作業が何ら面倒になることがない。
【００１６】
（請求項５の効果）
請求項５記載の発明によれば、上記した請求項１から請求項４までのいずれかに記載の発明の効果に加え、次のような効果を奏する。
すなわち、請求項５記載の発明によれば、ＨＴＭＬ形式で記憶されたテンプレートを利用してコンテンツを作成すれば、インターネットにおいて開示するのに最適なコンテンツを作成することができる。一方、ＰＤＦ形式で記憶されたテンプレートを利用してコンテンツを作成すれば、印刷することにより頒布するのに最適な印刷物となるコンテンツを作成することができる。
【発明を実施するための最良の形態】
【００１７】
以下に、本発明を実施するための最良の形態である実施形態について、図面に基づいて説明する。
図１及び図２は、本発明の一実施形態を示すものである。図１は、本実施形態に係るコンテンツ作成システム全体の概略構成を示す模式図、図２は、本実施形態に係るコンテンツ作成支援サーバー装置の概略構成を示すブロック図である。
（コンテンツ作成システム全体の概略構成）
本実施形態に係るコンテンツ作成システム１全体の概略構成は、図１に示すように、コンテンツ作成支援サービスを提供する提供者が所有するサーバー装置２と、コンテンツ作成支援サービスを受ける複数のユーザーがそれぞれ所有するクライアント装置３とが、電気通信回線であるインターネット４を介して相互に接続されることにより形成されるものである。
【００１８】
クライアント装置３は、企業のオフィスや家庭で使用される、いわゆるパーソナルコンピュータであり、少なくとも、インターネット４のホームページを閲覧するためのインターネット閲覧ソフトウェアと、ＰＤＦ形式ファイルで作成された文書を表示するためのＰＤＦ文書表示ソフトウェアとがインストールされたものとなっている。
換言すると、クライアント装置３は、インターネット４のホームページやウェブサイトにおいて開示されているコンテンツをユーザーに閲覧表示するものとなっている。
サーバー装置２は、主に企業で使用される、いわゆるパーソナルコンピュータと同様の装置であり、インターネット４を通じてクライアント装置３に各種のコンテンツやサービスを提供できるように設定されたものである。
【００１９】
具体的にいうと、サーバー装置２は、クライアント装置３を利用して、ユーザーが閲覧ソフトウェアで閲覧可能なコンテンツ、例えば、ホームページに掲載する会社案内等を作成するにあたり、当該コンテンツの作成をインターネット４を通じて支援するサービスを提供するものとなっている。
更に詳しく説明すると、サーバー装置２は、ユーザーがコンテンツを作成するにあたり、クライアント装置３の表示装置に、コンテンツの各作成段階に応じた案内画面を表示させ、この案内画面に従ってユーザーが行う所定の操作に対応して、コンテンツを作成していくものとなっている。
【００２０】
サーバー装置２には、図２に示すように、インターネット４を介して通信を行うための通信制御処理装置５と、各種の処理及び様々な演算並びに各種データの記憶を行う中央処理演算記憶装置６とが設けられている。
このうち、中央処理演算記憶装置６は、コンテンツの作成を支援するプログラムがインストールされたものであり、各種の処理及び様々な演算を高速で行うことが可能となった中央処理演算装置10と、各種データの記憶を行うために大きな記憶容量が確保された記憶装置20とを備えている。
記憶装置20は、中央処理演算装置10自体の動作を規定するオペレーション・システム、及び、中央処理演算装置10によって実行されるアプリケーション・プログラムに加えて、コンテンツの作成に必要な各種のデータを記憶する複数種類の記憶手段が形成されたものとなっている。
【００２１】
すなわち、記憶装置20には、コンテンツのレイアウトを規定する複数種類のテンプレートがＨＴＭＬ形式で記憶されている第１テンプレート記憶手段21と、コンテンツのレイアウトを規定する複数種類のテンプレートがＰＤＦ形式で記憶されている第２テンプレート記憶手段22と、コンテンツに利用する複数種類の画像が記憶されている画像記憶手段23と、コンテンツに利用する複数種類の原稿が記憶されている原稿記憶手段24と、作成済みのコンテンツが記憶されている作成済みコンテンツ記憶手段25と、コンテンツ作成においてユーザーを案内する複数種類の作成案内画面が記憶されている作成案内画面記憶手段26とが設けられている。
【００２２】
第１テンプレート記憶手段21に記憶されている各テンプレートは、図表を含む画像が貼り付けられる画像領域、及び、文書を含む原稿が貼り付けられる原稿領域の少なくとも一方についての位置及びサイズを規定することにより、コンテンツのレイアウトを規定するものである。
また、第１テンプレート記憶手段21の各テンプレートは、一つまたは二つ以上の領域が設定され、設定された領域の位置及びサイズ並びに種類、すなわち、画像領域及び原稿領域のいずれであるかを規定するものであり、インターネット４を通じた閲覧用のファイル形式、すなわち、ＨＴＭＬ形式で生成されている。
【００２３】
第１テンプレート記憶手段21には、画像領域及び原稿領域の少なくとも一方のレイアウトが相違する複数種類のテンプレートが記憶されている。
第２テンプレート記憶手段22に記憶されている各テンプレートは、第１テンプレート記憶手段21の各テンプレートと同様に、画像が貼り付けられる画像領域及び原稿が貼り付けられる原稿領域の少なくとも一方についての位置及びサイズを規定することにより、コンテンツのレイアウトを規定するものである。
ここで、第２テンプレート記憶手段22の各テンプレートは、第１テンプレート記憶手段21のものと同様に、一つまたは二つ以上の領域が設定され、設定された領域の位置及びサイズ並びに種類、すなわち、画像領域及び原稿領域のいずれであるかを規定するものである一方、文書表示用のファイル形式、すなわち、ＰＤＦ形式で生成されている点で、第１テンプレート記憶手段21の各テンプレートと相違している。
【００２４】
第２テンプレート記憶手段22には、第１テンプレート記憶手段21に記憶されているものとそれぞれ同じレイアウトを有する複数種類のテンプレートが記憶されている。そして、これらのテンプレートは、画像領域及び原稿領域の少なくとも一方のレイアウトが互いに相違したものとなっている。
この際、第１テンプレート記憶手段21及び第２テンプレート記憶手段22のそれぞれに記憶されている互いに同じレイアウトを有するテンプレートには、互いに同一の識別コードと、ファイル形式に応じた互いに異なる拡張子とが付されている。
また、第１テンプレート記憶手段21及び第２テンプレート記憶手段22に記憶されているテンプレートには、サンプル用画像及びサンプル用原稿の少なくとも一方が削除容易な状態となって仮貼り付けされている。
【００２５】
更に詳しく説明すると、第１テンプレート記憶手段21及び第２テンプレート記憶手段22に記憶されているテンプレートには、当該テンプレートに設けられている画像領域及び原稿領域に応じて、サンプル用画像及びサンプル用原稿が仮貼り付けされている。
すなわち、当該テンプレートに画像領域及び原稿領域の両方が設けられている場合には、サンプル用画像及びサンプル用原稿がそれぞれの領域に仮貼り付けされ、画像領域のみの場合には、画像領域にサンプル用画像が仮貼り付けされ、原稿領域のみの場合には、原稿領域にサンプル用原稿が仮貼り付けされている。
画像記憶手段23は、ユーザーがテンプレートに貼り付けるために用意された複数種類の画像を記憶しているものである。換言すると、画像記憶手段23には、画像の二次元イメージデータが画像識別コードを付されて複数種類記憶されている。
【００２６】
また、画像記憶手段23は、コンテンツの作成中に、ユーザーが新たな画像を任意に記憶させることが可能となっている。そして、画像記憶手段23に新たに記憶させた画像は、記憶した直後に画像記憶手段23から取り出してコンテンツの画像として利用することが可能となっている。
原稿記憶手段24は、ユーザーがテンプレートに貼り付けるために用意された複数種類の原稿を記憶しているものである。換言すると、原稿記憶手段24には、原稿のテキストデータを含む原稿データが原稿識別コードを付されて複数種類記憶されている。
また、原稿記憶手段24は、コンテンツの作成中に、ユーザーが新規に作成した文書を含む新原稿をその場で記憶させることが可能となっている。そして、原稿記憶手段24に新たに記憶させた原稿は、記憶した直後に原稿記憶手段24から取り出してコンテンツの原稿として利用することが可能となっている。
【００２７】
作成済みコンテンツ記憶手段25は、ユーザーが作成した作成済みのコンテンツを記憶するための記憶領域がユーザー毎に設けられ、各ユーザーが作成したコンテンツが当該記憶領域に記憶されるようになっている。なお、各記憶領域は、該当するユーザーのみがアクセス可能とされ、他のユーザーがアクセス不可能となっている。
作成案内画面記憶手段26は、コンテンツ作成を支援するために、ユーザーのクライアント装置３に設けられている表示装置に、コンテンツの作成段階に応じてユーザーの操作を案内する複数種類の作成案内画面を記憶しているものである。
中央処理演算装置10は、ユーザーがそのクライアント装置３に対して行った操作に応じて、コンテンツを作成していくものである。
【００２８】
すなわち、中央処理演算装置10には、クライアント装置３を含む外部との信号の入出力を制御する入出力制御処理部11と、ユーザーが選択したテンプレート及び作成案内画面をクライアント装置３の表示装置の画面に表示させて、コンテンツ作成操作をユーザーに行わせる作成案内手段12と、画像記憶手段23に記憶された画像をユーザーに選択させる画像選択案内手段13と、原稿記憶手段24に記憶された原稿をユーザーに選択させる原稿選択案内手段14と、第１テンプレート記憶手段21及び第２テンプレート記憶手段22に記憶されたテンプレートをユーザーに選択させるテンプレート選択案内手段15と、ＨＴＭＬ形式のコンテンツ及びＰＤＦ形式のコンテンツの一方に基づき他方を生成する異形式コンテンツ生成手段16とが設けられている。
【００２９】
このうち、作成案内手段12は、テンプレート選択段階、画像選択段階、画像貼付段階、原稿選択段階及び原稿貼付段階の各段階における所定の操作を順次ユーザーに行わせるために、各段階に対応した作成案内画面をクライアント装置３の表示装置の画面に表示させるものである。
また、作成案内手段12は、画像貼付段階が実行される際には、ユーザーが選択したテンプレートを、画像を貼り付ける台紙としてクライアント装置３の表示装置に表示させ、テンプレートに設けられている画像領域に、ユーザーが選択した画像を貼り付ける操作をユーザーに行わせるものとなっている。
【００３０】
さらに、作成案内手段12は、原稿貼付段階が実行される際には、ユーザーが選択したテンプレートを、原稿を貼り付ける台紙としてクライアント装置３の表示装置に表示させ、テンプレートに設けられている原稿領域に、ユーザーが選択した原稿を貼り付ける操作をユーザーに行わせるものとなっている。
テンプレート選択案内手段15は、作成案内手段12によりテンプレートをクライアント装置３に設けられている表示装置の画面に表示するのに先だって、第１テンプレート記憶手段21及び第２テンプレート記憶手段22のいずれかに記憶されたテンプレートを複数縮小表示してユーザーに選択させるものである。
【００３１】
画像選択案内手段13は、作成案内手段12によりテンプレートに画像を貼り付ける操作を行うのに先だって、画像記憶手段23に記憶された画像を複数縮小表示してユーザーに選択させるものである。
また、画像選択案内手段13は、ユーザーが新たな画像を画像記憶手段23に記憶させた場合には、前述したように、画像記憶手段23に記憶された新たな画像を即座にユーザーに選択させることができるものとなっている。
原稿選択案内手段14は、作成案内手段12によりテンプレートに原稿を貼り付ける操作を行うのに先だって、原稿記憶手段24に記憶された原稿を複数縮小表示してユーザーに選択させるものである。
【００３２】
また、原稿選択案内手段14は、コンテンツの作成中に、ユーザーが新規に作成した文書を含む新原稿をその場で原稿記憶手段24に記憶させた場合には、当該新原稿を現在作成中のコンテンツに採用するために、即座に前記新原稿をユーザーに選択させることができるものとなっている。
異形式コンテンツ生成手段16は、ユーザーがＨＴＭＬ形式のコンテンツを作成した場合には、ＨＴＭＬ形式のコンテンツに基づきＰＤＦ形式のコンテンツを生成し、ユーザーがＰＤＦ形式のコンテンツを作成した場合には、ＰＤＦ形式のコンテンツに基づきＨＴＭＬ形式を生成するものとなっている。
【００３３】
次に、本実施形態に係るＨＴＭＬ形式のコンテンツ作成に使用されるテンプレートの概略構造を、当該コンテンツを作成する際のサーバー装置２の動作とともに説明する。
まず、ユーザーは、テンプレート選択案内手段15に案内されて、図３に示すように、第１テンプレート記憶手段21に記憶された複数のテンプレートPHの中から一つのテンプレートPHを選択する。ここで、ユーザーは、図３に示すように、二つの画像領域GA1, GA2と、三つの原稿領域TA1 〜TA3 とを有するテンプレートPH1 を選択したとする。
この後、テンプレートPH1 は、ユーザーのクライアント装置３の表示装置に表示され、これに対応して、画像選択案内手段13が起動して、ユーザーに画像記憶手段23に記憶された画像の中からテンプレートPH1 の画像領域GA1, GA2に貼り付けるものを選択させる。ここで、ユーザーは、画像領域GA1, GA2に貼り付ける画像として、画像データGD1, GD2を選択したとする。
【００３４】
続いて、原稿選択案内手段14が起動して、ユーザーに原稿記憶手段24に記憶された原稿の中からテンプレートPH1 の原稿領域TA1 〜TA3 に貼り付けるものを選択させる。ここで、ユーザーは、原稿領域TA1 〜TA3 に貼り付ける原稿として、原稿データTD1 〜TD3 を選択したとする。
すると、サーバー装置２は、テンプレートPH1 の原稿領域TA1 〜TA3 にそれぞれ原稿領域TA1 〜TA3 を貼り付けたＨＴＭＬファイルFH1 と、ＨＴＭＬファイルFH1 に貼り付けられる画像データGD1, GD2を含む画像ファイルGFと、ＨＴＭＬファイルFH1 の作成に用いたテンプレートを特定する情報が記録されたスタイルシートSSとを生成する。このような生成処理が完了すると、ＨＴＭＬファイルFH1 、画像ファイルGF及びスタイルシートSSを圧縮して、ＺＩＰ書庫といわれる圧縮フォルダZ1の中に収納する。
【００３５】
以上のような操作により、ＨＴＭＬ形式のコンテンツを一つ作成することができる。一つのコンテンツを作成した後、以上のような操作をコンテンツの必要な回数だけ繰り返し、必要な種類及び数のコンテンツを作成し、作成したコンテンツに係るＨＴＭＬファイルFH、画像ファイルGF及びスタイルシートSSを圧縮フォルダZ1に収納し、この後、圧縮フォルダZ1が完成したら、圧縮フォルダZ1をユーザーのクライアント装置３へ出力する。
以上において、スタイルシートSSには、テンプレートを特定する情報として、テンプレートPH1 を特定する識別コードと、画像領域GA1, GA2の位置及びサイズと、画像領域GA1, GA2のそれぞれに貼り付けられる画像の画像識別コードと、原稿領域TA1 〜TA3 のそれぞれに貼り付けられる原稿の原稿識別コードとが含まれたものとなっている。
【００３６】
続いて、本実施形態に係るＰＤＦ形式のコンテンツ作成に使用されるテンプレートの概略構造を、当該コンテンツを作成する際のサーバー装置２の動作とともに説明する。なお、ここで、作成するコンテンツは、前述のＨＴＭＬ形式のコンテンツと形式は異なるが、外観が同じものであると視認できるものとなっている。
まず、ユーザーは、テンプレート選択案内手段15に案内されて、図４に示すように、第２テンプレート記憶手段22に記憶された複数のテンプレートPPの中から一つのテンプレートPPを選択する。ここで、ユーザーは、図４に示すように、二つの画像領域GA1, GA2と、三つの原稿領域TA1 〜TA3 とを有するテンプレートPP1 を選択したとする。
【００３７】
この後、テンプレートPP1 は、ユーザーのクライアント装置３の表示装置に表示され、これに対応して、画像選択案内手段13が起動して、ユーザーに画像記憶手段23に記憶された画像の中からテンプレートPP1 の画像領域GA1, GA2に貼り付けるものを選択させる。ここで、ユーザーは、画像領域GA1, GA2に貼り付ける画像として、画像データGD1, GD2を選択したとする。
続いて、原稿選択案内手段14が起動して、ユーザーに原稿記憶手段24に記憶された原稿の中からテンプレートPP1 の原稿領域TA1 〜TA3 に貼り付けるものを選択させる。ここで、ユーザーは、原稿領域TA1 〜TA3 に貼り付ける原稿として、原稿データTD1 〜TD3 を選択したとする。
【００３８】
すると、サーバー装置２は、テンプレートPP1 の画像領域GA1, GA2に画像データGD1, GD2が貼り付けられ、且つ、テンプレートPP1 の原稿領域TA1 〜TA3 にそれぞれ原稿領域TA1 〜TA3 が貼り付けられた１ページ分のＰＤＦファイルFP1 を生成する。この後、生成されたＰＤＦファイルFP1 をＰＤＦ文書フォルダP1の中に収納する。
以上のような操作により、ＰＤＦ形式からなる１ページ分のコンテンツとしてＰＤＦファイルFP1 を作成することができる。１ページ分のコンテンツ、すなわち、ＰＤＦファイルFP1 を作成した後、以上のような操作をコンテンツの必要なページ数だけ繰り返し、必要な種類及び数のコンテンツを作成するとともに、作成したコンテンツであるＰＤＦファイルFPをＰＤＦ文書フォルダP1に収納し、この後、ＰＤＦ文書フォルダP1が完成したら、ＰＤＦ文書フォルダP1をユーザーのクライアント装置３へ出力する。
【００３９】
以上において、各ＰＤＦファイルFPは、テンプレートを特定する情報として、テンプレートPP1 を特定する識別コードと、画像領域GA1, GA2の位置及びサイズと、画像領域GA1, GA2のそれぞれに貼り付けられる画像の画像識別コードと、原稿領域TA1 〜TA3 の位置及びサイズと、原稿領域TA1 〜TA3 のそれぞれに貼り付けられる原稿の原稿識別コードとを隠れた状態で含んだものとなっている。
次に、本実施形態に係るサーバー装置２とクライアント装置３との間で交わされる通信を中心にして、これらの装置２，３の動作の流れについて説明する。
本実施形態に係るサーバー装置２が提供するサービスを受けるためには、ユーザーは、インターネットを通じてサービスを受ける契約をサービス提供者と締結するための申し込みを行う。すなわち、ユーザーは、図５（Ａ）に示すように、サービスを受けるための申し込みを行うために、そのクライアント装置３の表示装置の画面に、サービス提供者のホームページに含まれるサービス申し込みフォームを表示させ、このフォームに氏名やＥメールアドレス等の必要事項を入力し、サーバー装置２へ送信し、以上により、サービス申し込みが完了する。
【００４０】
申し込みを受けたサーバー装置２は、申し込み受付メールをクライアント装置３へ自動的に送信し、この申し込み受付メールでユーザーに入金手続を行うように依頼する。
この後、図５（Ｂ）に示すように、ユーザーが入金手続を行い、ユーザーから所定の金額が送金された旨の通知を銀行から受けると、サービス提供者は、図５（Ｃ）に示すように、サーバー装置２に当該ユーザーの登録と、当該ユーザーのためのパスワードの発行を行わせる。サーバー装置２は、ユーザーの登録処理及びパスワードの発行処理が完了すると、ユーザーの登録手続の完了をＥメールで通知するとともに、同Ｅメールにおいてユーザーのパスワードを通知する。
【００４１】
このＥメールを受領すると、ユーザーは、サーバー装置２が提供するサービスをいつでも受けることができるようになる。
サーバー装置２が提供するサービスを受けために、ユーザーは、図６（Ｄ）に示すように、クライアント装置３の表示装置の画面に、サービス提供者のホームページに含まれるログインページを表示させ、ユーザーのＩＤ及びパスワードを入力し、サービス提供ページへログインする。すると、サーバー装置２は、クライアント装置３へテンプレートを選択するためのテンプレート選択画面のデータを送信する。これにより、クライアント装置３の表示装置の画面には、複数種類のテンプレートが縮小表示されたテンプレート選択画面が表示される。
【００４２】
図６（Ｅ）に示すように、ユーザーがテンプレート選択画面に表示されてる複数種類のテンプレートの中から、一のテンプレートを選択して入力操作を行うと、クライアント装置３は、選択されたテンプレートの識別コードをサーバー装置２へ送信する。この識別コードを受信したサーバー装置２は、ユーザーが選択したテンプレートを、作成すべきコンテンツの構成要素として登録する。
テンプレートの登録が完了すると、サーバー装置２は、コンテンツに包含すべき画像を選択するための画像選択画面のデータをクライアント装置３へ送信する。これにより、クライアント装置３の表示装置の画面には、複数種類の画像が縮小表示された画像選択画面が表示される。
【００４３】
図６（Ｆ）に示すように、ユーザーが画像選択画面に表示されている複数種類の画像の中から、一の画像を選択して入力操作を行うと、クライアント装置３は、選択された画像の画像識別コードをサーバー装置２へ送信する。この画像識別コードを受信したサーバー装置２は、ユーザーが選択した画像を作成すべきコンテンツの構成要素として登録する。
画像の登録が完了すると、サーバー装置２は、コンテンツに包含すべき原稿を選択するための原稿選択画面のデータをクライアント装置３へ送信する。これにより、クライアント装置３の表示装置の画面には、複数種類の原稿が縮小表示された原稿選択画面が表示される。
【００４４】
図６（Ｇ）に示すように、ユーザーが原稿選択画面に表示されてる複数種類の原稿の中から、一の原稿を選択して入力操作を行うと、クライアント装置３は、選択された原稿の原稿識別コードをサーバー装置２へ送信する。この原稿識別コードを受信したサーバー装置２は、ユーザーが選択した原稿を作成すべきコンテンツの構成要素として登録する。
以上において、図６（Ｅ）に示したテンプレートを選択するテンプレート選択処理から、図６（Ｇ）に示した原稿を登録する原稿登録処理までの一連の処理が、コンテンツの表示及び印刷を行うための版下を作成する版下作成処理となっている。
そして、この版下作成処理は、コンテンツを構成するページの数量に応じて繰り返されるものとなっている。
【００４５】
一方、クライアント装置３に対してユーザーが原稿の選択操作を終えると、クライアント装置３からサーバー装置２へ版作成の指示を送信することが可能となる。
そして、ユーザーは、原稿の選択操作を終える後、図６（Ｈ）に示すように、クライアント装置３を操作して、サーバー装置２へ版作成の指示指令を送出させる。
この版作成の指示指令をサーバー装置２が受信すると、サーバー装置２は、登録されているテンプレートの識別コード、画像の画像識別コード及び原稿の原稿識別コードに基づいて、ＰＤＦファイルFPを作成、換言すると、ＰＤＦファイルFPを構成するＰＤＦデータを生成する。ＰＤＦデータの生成が完了すると、図６（Ｉ）に示すように、生成したＰＤＦデータに基づいて、印刷プレビュー画面を生成し、印刷プレビュー画面のデータをクライアント装置３へ送出する。
【００４６】
印刷プレビュー画面のデータを受けたクライアント装置３は、印刷プレビューを表示装置の画面に表示し、この印刷プレビューを見て、ユーザーは、コンテンツの良否を判断する。ここで、ユーザーがコンテンツを良くないと判断すれば、テンプレートを選択するテンプレート選択処理に戻って、版下作成処理をやり直す。
一方、ユーザーがコンテンツを良いと判断すれば、次の製版処理に進む。
すなわち、版下作成処理を終えたユーザーは、作成したコンテンツの印刷及び製版をサービス提供者へ依頼するため、図７（Ｊ）に示すように、クライアント装置３に対して印刷・製版されたコンテンツの必要部数の入力操作を行う。
【００４７】
コンテンツの必要部数が入力されたクライアント装置３は、コンテンツの印刷部数を示す部数信号をサーバー装置２へ送信する。
この部数信号を受信したサーバー装置２は、ユーザーから印刷の注文を受けたと判断し、伝票等を発行する注文受付処理として、クライアント装置３へ印刷・製版の注文を受けた旨を通知するＥメールを自動発信する処理を行い、更に、プリンタ７を駆動してプリンタ７にコンテンツの印刷を行わせる。
プリンタ７がコンテンツの印刷を開始したら、サーバー装置２は、ユーザーへ納期を連絡するために、図７（Ｋ）に示すように、クライアント装置３へ納品予定を知らせるＥメールである納品予定メールを自動発信する。送信された納品予定メールは、クライアント装置３に受信され、ユーザーは、この納品予定メールを見て、納期を知ることとなる。
【００４８】
納品予定メールの自動発信と前後して、プリンタ７がコンテンツの印刷が完了するので、印刷されたコンテンツを製版して印刷物を作成する。印刷物が完了したら、図７（Ｌ）に示すように、印刷物をユーザーに向けて出荷する出荷処理を行い、トラック等の搬送手段を利用してユーザーに印刷物を届ける納品処理を行い、以上により、装置２，３は、コンテンツ作成という一連の仕事を一応終えることとなる。
次に、コンテンツを作成するにあたり、ユーザーが行う操作の手順について、クライアント装置３に設けられた表示装置の画面を示す図を参照しながら説明する。
なお、新規のユーザーが初めてサービスを受けるにあたり、テンプレートの選択操作においては、第１テンプレート記憶手段21が利用されるようにデフォルト設定されている。また、作成済みコンテンツ記憶手段25には、サービス提供者が予め記憶させた雛形となるコンテンツであるストーリーが記憶され、初めてサービスを受けるユーザーの便宜が図られている。
【００４９】
コンテンツを作成するにあたり、まず、ユーザーは、図８に示すように、クライアント装置３の表示装置の画面にログインページＤ01を表示させ、ログインページＤ01に設けられている入力ボックスBX01及びBX02に、それぞれユーザーのＩＤ及びパスワードを入力した後、入力ボックスBX01及びBX02の下方に設けられたログインボタンBU01をクリックする。これにより、ユーザーのＩＤ及びパスワードがサーバー装置２へ送信される。
ユーザーのＩＤ及びパスワードがサーバー装置２に受信されると、クライアント装置３の表示装置の画面には、図９の如く、これまでに作成してきたコンテンツであるストーリーのタイトルを複数表示するストーリーの一覧画面Ｄ02と、このストーリーの一覧画面Ｄ02の図９中左側に設けられるとともに、操作用の押しボタンBU02〜BU08が集中配置されている押しボタン領域Ｄ03とが表示される。
【００５０】
ここで、ストーリーとしては、一つコンテンツからなる１ページ単体のもの、複数のコンテンツの集合体であって複数のページを有するものの両方が採用できる。
以下に、押しボタン領域Ｄ03の押しボタンBU02〜BU08について説明する。
押しボタンBU02は、ストーリー一覧画面Ｄ02を表示させるための操作用押しボタンである。他の画面が表示されていても、押しボタンBU02をクリック操作すれば、ストーリー一覧画面Ｄ02が強制的に表示されるようになっている。
押しボタンBU03は、テンプレート選択画面としてのテンプレート一覧画面を表示させるための操作用押しボタンである。他の画面、例えば、ストーリー一覧画面Ｄ02が表示されていても、押しボタンBU03をクリック操作すれば、ストーリー一覧画面Ｄ02が強制的に変更され、テンプレート一覧画面が表示されるようになっている。
【００５１】
押しボタンBU04は、画像選択画面としての画像一覧画面を表示させるための操作用押しボタンである。他の画面、例えば、ストーリー一覧画面Ｄ02が表示されていても、押しボタンBU04をクリック操作すれば、ストーリー一覧画面Ｄ02が強制的に変更され、画像一覧画面が表示されるようになっている。
押しボタンBU05は、原稿選択画面としての原稿一覧画面を表示させるための操作用押しボタンである。他の画面、例えば、ストーリー一覧画面Ｄ02が表示されていても、押しボタンBU05をクリック操作すれば、ストーリー一覧画面Ｄ02が強制的に変更され、原稿一覧画面が表示されるようになっている。
【００５２】
押しボタンBU06は、作成したコンテンツであるストーリーの表示や印刷を行わせるための操作用押しボタンである。この押しボタンBU06をクリック操作し、さらに、印刷ページを入力する操作を行うと、作成したストーリーの指定ページについての印刷プレビューの画面表示や印刷依頼等が行えるようになっている。
押しボタンBU07は、コンテンツ作成支援サービスを終了させるための操作用押しボタンである。この押しボタンBU07をクリック操作すれば、コンテンツ作成支援サービスが終了されるようになっている。
押しボタンBU08は、コンテンツ作であるストーリーの製版を依頼した場合に、その費用を精算させるための操作用押しボタンである。この押しボタンBU08をクリック操作すれば、それまのサービスについての手数料が精算され、金額が画面に表示されるようになっている。
【００５３】
次に、ストーリーの一覧画面Ｄ02について説明する。ストーリーの一覧画面Ｄ02には、ストーリーのタイトルであるストーリー名が表示される名称表示領域AR01と、ストーリーのテーマが表示されるテーマ表示領域AR02と、当該ストーリーについて編集を行う操作ボタンBU10及び削除を行う操作ボタンBU11が配置された押しボタン領域AR03とが、ストーリー毎に設けられている。また、名称表示領域AR01の図９中下方には、ストーリーを新規に作成する際に操作されるクリック操作領域AR04が設けられている。
ストーリーを新規に作成したい場合には、クリック操作領域AR04をクリック操作する。すると、テンプレート一覧画面が表示され、これにより、テンプレートの選択処理からストーリーの新規作成作業を行うことができる。
【００５４】
ストーリーの一覧画面Ｄ02に表示されている一のストーリーを削除したい場合には、当該ストーリーの相当する操作ボタンBU11をクリック操作する。
また、ストーリーの一覧画面Ｄ02に表示されている一のストーリーを編集したい場合には、当該ストーリーの相当する操作ボタンBU10をクリック操作する。
ここで、例えば、ストーリーの一覧画面Ｄ02の最上段に表示されているストーリーである「2004年度会社案内」の操作ボタンBU10がクリック操作されたする。
「2004年度会社案内」の操作ボタンBU10がクリック操作されると、ストーリーの一覧画面Ｄ02が消去され、代わりに、図１０の如く、「2004年度会社案内」に含まれるページを複数表示するストーリーの編集画面Ｄ04が表示される。
【００５５】
ストーリーの編集画面Ｄ04には、ページのタイトルであるページ名が表示されるページ名表示領域AR05と、当該ページに含まれるページ数が表示されるページ数表示領域AR06と、当該ページについての編集を行う操作ボタンBU12〜BU15が配置された押しボタン領域AR07とが、ページ毎に設けられている。また、ページ名表示領域AR05の図１０中下方には、ストーリーの一覧画面Ｄ02に戻るために操作されるクリック操作領域AR08が設けられている。さらに、ページ数表示領域AR06及び押しボタン領域AR07の図１０中上方には、新たなページを追加するために操作されるクリック操作領域AR09が設けられている。
新たなページを追加したい場合には、クリック操作領域AR09をクリック操作する。すると、テンプレート一覧画面が表示され、これにより、テンプレートの選択処理から新たなページの新規作成作業を行うことができる。
【００５６】
以下に、押しボタン領域AR07の押しボタンBU12〜BU15について説明する。
押しボタンBU12は、該当するページの位置を上方へ変更するための操作用押しボタンである。この押しボタンBU12をクリック操作すると、該当するページと、図１０中、その上に表示されているページとの位置が相互に入れ替えられるようになっている。
押しボタンBU13は、該当するページの位置を下方へ変更するための操作用押しボタンである。この押しボタンBU13をクリック操作すると、該当するページと、図１０中、その下に表示されているページとの位置が相互に入れ替えられるようになっている。
押しボタンBU14は、当該ページを編集するための操作用押しボタンである。この押しボタンBU14をクリック操作すると、ページの編集画面へ移行するようになっている。
【００５７】
押しボタンBU15は、当該ページを削除するための操作用押しボタンである。この押しボタンBU15をクリック操作すると、当該ページが削除されるようになっている。
ここで、例えば、ストーリーの編集画面Ｄ04の上から４番目に表示されているページである「社内の風景など」の操作ボタンBU14がクリック操作されたする。
「社内の風景など」の操作ボタンBU14がクリック操作されると、ストーリーの編集画面Ｄ04が消去され、代わりに、図１１の如く、ページを編集するためのページの編集画面Ｄ05が表示される。
ページの編集画面Ｄ05には、選択したページの内容を表示するページ内容表示領域AR10と、ページ内容表示領域AR10の図１０中左下には、ストーリーの編集画面Ｄ04に戻るために操作されるクリック操作領域AR11が設けられている。そして、ページの編集画面Ｄ05の表示が開始された当初には、選択された「社内の風景など」の最初のページがページ内容表示領域AR10に表示されるようになっている。
【００５８】
ページ内容表示領域AR10に表示されたページには、その内容に対応した画像領域AR12及び原稿領域AR13が設けられている。ユーザーは、ページの編集を行うにあたり、マウス等で指定することにより、変更対称としたい画像領域AR12及び原稿領域AR13を選択する。
ここでは、先に画像の変更を行うものとする。すなわち、ページ内容表示領域AR10に表示された一の画像領域AR12が選択されたとすると、ページの編集画面Ｄ05が消去され、代わりに、図１２の如く、ページの画像を変更するために設けられたページの編集画面Ｄ06が表示される。
ページの編集画面Ｄ06には、選択したページの内容を表示するページ内容表示領域AR14と、変更後の画像について設定入力する設定領域AR15とが設けられている、また、ページ内容表示領域AR14の図１２中下方には、設定領域AR15で設定した変更を実行させるために操作されるクリック操作領域AR16と、設定領域AR15で設定した変更を取り消すために操作されるクリック操作領域AR17とが設けられている。
【００５９】
このうち、設定領域AR15には、変更後に表示されるべき画像に係る画像識別コードの入力を行うための入力ボックスBX03と、変更にあたり、画像記憶手段23に記憶されている画像を参照するために操作される押しボタンBU16と、変更後の画像をページに設けられた枠にフィットさせる指示を行うチェックボタンCB01と、変更後の画像を前述の枠にフィットさせないように指示を行うチェックボタンCB02とが設けられている。
ここでは、画像記憶手段23に記憶されている画像の中から変更後の画像を選択したいので、画像記憶手段23に記憶されている画像を参照すべく、押しボタンBU16がクリック操作されたとする。すると、ページの編集画面Ｄ06が消去され、代わりに、図１３の如く、複数種類の画像が縮小表示された画像の一覧画面Ｄ07が表示される。
【００６０】
画像の一覧画面Ｄ07は、現在表示されている一のページと、現在表示されていない多数のページとを含んだものとなっている。画像の一覧画面Ｄ07の各ページには、それぞれが一の画像を表示する複数の画像表示領域AR20と、それぞれが選択すべき画像表示領域AR20を指定する複数のチェックボタンCB03とが設けられている。
また、各ページの図１３中左下には、ページ移動を行うためにクリック操作されるページ移動操作領域AR21と、チェックボタンCB03で指定した画像について選択処理を実行させるために操作されるクリック操作領域AR22と、チェックボタンCB03で指定した画像についての選択を解除するために操作されるクリック操作領域AR23とが設けられている。
【００６１】
このような画像の一覧画面Ｄ07に含まれる多数の画像から一の画像を選択して、元の画像を選択した画像に置き換えることにより、画像の変更が行われるようになっている。
画像の変更操作が完了したら、原稿の変更を行うために、画面の表示がページの編集画面Ｄ05（図１１参照）に戻り、そのページ内容表示領域AR10に表示された一の原稿領域AR13が選択されたとすると、ページの編集画面Ｄ05が消去され、代わりに、図１４の如く、ページの原稿を変更するために設けられたページの編集画面Ｄ08が表示される。
ページの編集画面Ｄ08には、選択したページの内容を表示するページ内容表示領域AR24と、変更後の原稿について設定入力する設定領域AR25とが設けられている、また、ページ内容表示領域AR24の図１４中下方には、設定領域AR25で設定した変更を実行させるために操作されるクリック操作領域AR26と、設定領域AR25で設定した変更を取り消すために操作されるクリック操作領域AR27とが設けられている。
【００６２】
このうち、設定領域AR25には、変更後に表示されるべき原稿のフォントを設定するためのドロップダウンリストボックスBX04と、変更後の原稿のフォントサイズを入力するための入力ボックスBX05と、変更後の原稿のフォントの色を入力するための入力ボックスBX06と、色を変更するにあたり色見本を参照するために操作される押しボタンBU17と、変更後に表示されるべき原稿に係る原稿識別コードの入力を行うための入力ボックスBX07と、原稿記憶手段24に記憶されている原稿を参照するために操作される押しボタンBU18と、ページに設けられた原稿が配置される枠内において、変更後の原稿の左右位置を設定するためのドロップダウンリストボックスBX08と、前述の枠内における原稿の上下位置を設定するためのドロップダウンリストボックスBX09と、原稿を前述の枠にフィットさせる指示を行うチェックボタンCB04と、原稿を前述の枠にフィットさせないように指示を行うチェックボタンCB05とが設けられている。
【００６３】
ここでは、原稿記憶手段24に記憶されている原稿の中から変更後の原稿を選択したいので、原稿記憶手段24に記憶されている原稿を参照すべく、押しボタンBU18がクリック操作されたとする。すると、ページの編集画面Ｄ08が消去され、代わりに、図１５の如く、複数種類の原稿の冒頭部分が表示された原稿の一覧画面Ｄ09が表示される。
原稿の一覧画面Ｄ09は、現在表示されている一のページと、現在表示されていない多数のページとを含んだものとなっている。原稿の一覧画面Ｄ09の各ページには、複数種類の原稿の冒頭部分を表示する原稿内容表示領域AR30と、それぞれが該当する原稿を選択させる複数のチェックボタンCB06が配列された選択ボタン領域AR34とが設けられている。
【００６４】
また、各ページの図１５中左下には、ページ移動を行うためにクリック操作されるページ移動操作領域AR31と、チェックボタンCB06で指定した原稿について選択処理を実行させるために操作されるクリック操作領域AR32と、チェックボタンCB06で指定した画像についての選択を解除するために操作されるクリック操作領域AR33とが設けられている。
このような原稿の一覧画面Ｄ09に含まれる多数の原稿から一の原稿を選択して、元の原稿を選択した原稿に置き換えることにより、原稿の変更が行われるようになっている。
以上のような操作により、ストーリーの変更操作が完了したら、作成したストーリーの表示や印刷を行わせるために、押しボタンBU06をクリック操作する。すると、図１６に示すように、出力操作の対象となる複数のストーリーのタイトルを複数表示するストーリーの一覧画面Ｄ10が画面に表示される。
【００６５】
このストーリーの一覧画面Ｄ10には、ストーリーのタイトルであるストーリー名が表示される名称表示領域AR41と、ストーリーのテーマが表示されるテーマ表示領域AR42と、当該ストーリーについて選択を行う複数のチェックボタンCB07が配列された押しボタン領域AR43とが、ストーリー毎に設けられている。また、名称表示領域AR41の図１６中下方には、選択されたストーリーの出力を行わせる際に操作されるクリック操作領域AR44が設けられている。
ここで、適宜なストーリーのチェックボタンCB07がクリック操作され、さらに、クリック操作領域AR44がクリック操作されると、ストーリーの一覧画面Ｄ10が消去され、代わりに、図１７の如く、ストーリーの出力形式を設定するためのストーリーの一覧画面Ｄ11が表示される。
【００６６】
このストーリーの一覧画面Ｄ11には、出力形式の内容が表示される形式表示領域AR51と、出力形式についての数値設定を行う数値設定領域AR52と、当該出力形式について選択を行う複数のチェックボタンCB08が配列された押しボタン領域AR53とが、出力形式毎に設けられている。
また、形式表示領域AR51の図１７中下方には、チェックボタンCB08で選択した出力形式で出力処理を行うためにクリック操作されるクリック操作領域AR54と、ストーリーの一覧画面Ｄ10に戻るために操作されるクリック操作領域AR55とが設けられている。
さらに、数値設定領域AR52における、出力形式「印刷を依頼する」に該当する欄には、印刷部数を入力するための入力ボックスBX10が設けられ、、出力形式「ＨＴＭＬメールとして送信する」に該当する欄には、送信するページを指定するための入力ボックスBX11が設けられている。
【００６７】
ストーリーを出力する形式が決まったら、以上のようなストーリーの一覧画面Ｄ11を適宜操作し、これにより、所望の形式でストーリーを出力することができる。
ところで、ストーリーを編集するにあたり、画像記憶手段23に記憶されている画像をすべて参照したが、適当な画像が見つからない場合には、所定の操作により、新たな画像を追加することができる。この場合には、押しボタンBU04をクリック操作する。すると、図１８に示すように、画像の追加を行うための画像の追加画面Ｄ12が画面に表示される。
画像の追加画面Ｄ12には、追加すべき画像を収納しているファイルのファイル名を入力する入力ボックスBX12と、追加すべき画像を収納しているファイルのディレクトリを表示させるために操作される押しボタンBU19と、入力ボックスBX12又は押しボタンBU19により特定した画像の追加処理を実行させる際に操作されるクリック操作領域AR64と、入力ボックスBX12又は押しボタンBU19により特定した画像をクリアする際に操作されるクリック操作領域AR65と、画像の一覧画面Ｄ07（図１３参照）に戻るために操作されるクリック操作領域AR66とが設けられている。
【００６８】
画像の追加画面Ｄ12を利用して、新たな画像を追加するには、まず、入力ボックスBX12又は押しボタンBU19により追加すべき画像を特定し、この後、クリック操作領域AR64を操作することにより、特定した画像の追加処理が実行される。
また、ストーリーを編集するにあたり、原稿記憶手段24に記憶されている原稿をすべて参照したが、適当な原稿が見つからない場合には、所定の操作により、新たな原稿を追加することができる。この場合には、押しボタンBU05をクリック操作する。すると、図１９に示すように、原稿の追加を行うための原稿の一覧画面Ｄ13が画面に表示される。
原稿の一覧画面Ｄ13には、複数種類の原稿の冒頭部分を表示する原稿内容表示領域AR71と、当該ストーリーについて編集を行う操作ボタンBU20及び削除を行う操作ボタンBU21が配置された押しボタン領域AR72とが、原稿毎に設けられている。また、原稿内容表示領域AR71の図１９中左下方には、原稿を新規作成する際に操作されるクリック操作領域AR73が設けられている。
【００６９】
そして、新たな原稿を追加するには、クリック操作領域AR73をクリック操作する。すると、原稿の一覧画面Ｄ13が消去され、代わりに、図２０の如く、原稿の編集を行うための原稿の編集画面Ｄ14が表示される。
原稿の編集画面Ｄ14には、原稿となる文書を入力するためのボックスBX13と、ボックスBX13に入力された文書で原稿の追加又は変更を行わせるために操作されるクリック操作領域AR74と、ボックスBX13に入力された文書で変更を行った後に、元の原稿の内容に戻すために操作されるクリック操作領域AR75と、原稿の一覧画面Ｄ09（図１５参照）に戻るために操作されるクリック操作領域AR76とが設けられている。
【００７０】
原稿の編集画面Ｄ14を利用して、新たな原稿を追加するには、まず、入力ボックスBX13に所望の文書を入力した後、クリック操作領域AR74を操作することにより、新たな原稿の追加処理が実行される。
前述のような本実施形態によれば、次のような効果が得られる。
すなわち、ＨＴＭＬ形式により形成された複数種類のテンプレートPHが記憶された第１テンプレート記憶手段21と、ＰＤＦ形式により形成された複数種類のテンプレートPPが記憶された第２テンプレート記憶手段22とを設け、第１テンプレート記憶手段21及び第２テンプレート記憶手段22のいずれか一方に記憶された複数種類のテンプレートPH, PPの中から、適当なものを一つ選び、このテンプレートPH, PPに貼り付けるために、画像記憶手段23に記憶された複数種類の画像GDの中から適当な画像GDを選び、さらに、原稿記憶手段24に記憶された複数種類の原稿TDの中から適当な原稿TDを選び、選んだ画像GD及び原稿TDをテンプレートPH, PPに貼り付けるようにしたので、ＨＴＭＬ形式及びＰＤＦ形式のいずれでも所望のコンテンツを作成することができる。
【００７１】
ここで、第１テンプレート記憶手段21及び第２テンプレート記憶手段22には、それぞれ同じレイアウトを有する複数種類のテンプレートPH, PPが記憶され、これらのテンプレートPH, PPは、ファイル形式が相違しているが同じ識別コードが付与されているので、第１テンプレート記憶手段21及び第２テンプレート記憶手段22のいずれか一方からテンプレートPH, PPを選択すれば、選択したテンプレートPH, PPの識別コードで検索すれば、他方からも同じレイアウトのテンプレートPH, PPを自動的に選択することができ、自動的に選択されたテンプレートPH, PPにも、ユーザーが選んだ画像GD及び原稿TDを貼り付けるができるので、ファイル形式が異なるコンテンツを自動的に生成することができる。
【００７２】
従って、ユーザーがコンテンツを生成させる操作を行うことにより、インターネット４を通じた閲覧用のファイル形式であるＨＴＭＬ形式のコンテンツと、文書表示用のファイル形式であるＰＤＦ形式のコンテンツの両方を生成することができ、表示装置の画面に表示されたコンテンツと同一のものとして視認可能な印刷物を容易に得ることができる。また、印刷物として生成したコンテンツを作成すれば、印刷物と同一のものとして視認可能となる画面表示用のコンテンツを容易に得ることができる。
また、原稿記憶手段24として、コンテンツの作成中に、ユーザーが新規に作成した文書を含む新原稿をその場で記憶することができるものを採用し、原稿選択案内手段14として、現在作成中のコンテンツに採用するために、即座に新原稿をユーザーに選択させることができるものを採用したので、ユーザーが新規に作成した文書をコンテンツに使用したい場合、新規に作成した文書を原稿として原稿記憶手段24に新たに記憶させることができるうえ、当該新規作成文書は、原稿記憶手段24に記憶された中から即座に選択でき、容易且つ速やかに、コンテンツに使用することができる。従って、ユーザーが新規に作成した文書を直接コンテンツに入力しなくとも、文書の直接入力操作と同じ程度に簡単、且つ、速やかに、新規に作成した文書をコンテンツに掲載することができる。
【００７３】
さらに、画像記憶手段23として、ユーザーが新たな画像を任意に記憶させることができるものを採用し、画像選択案内手段13として、記憶した新たな画像を即座にユーザーに選択させることができるものを採用したので、画像記憶手段23に未だ記憶されていない新たな画像をユーザーがコンテンツに使用したい場合、新たな画像を原稿記憶手段23に速やかに記憶させることができるうえ、新規画像は、画像記憶手段23に記憶された中から即座に選択でき、選択された画像は、自動的にコンテンツに貼り付けられるようになる。従って、コンテンツに貼り付けられるように、ユーザーが新規に得た画像を加工する必要がなくなり、画像を速やかにコンテンツに掲載することができる。
【００７４】
また、第１テンプレート記憶手段21及び第２テンプレート記憶手段22に記憶されているテンプレートPH, PPのいずれにも、サンプル用画像及びサンプル用原稿の少なくとも一方を削除容易な状態で仮貼り付けしておいたので、第１テンプレート記憶手段21及び第２テンプレート記憶手段22のいずれかに記憶されている中から一のテンプレートPH, PPをユーザーが選ぶにあたり、テンプレートPH, PPに仮貼り付けされたサンプル用画像及びサンプル用原稿が、当該テンプレートPH, PPの具体的なイメージをユーザーに与えるようになり、ユーザーが複数のテンプレートPH, PPの中から一のテンプレートPH, PPを選ぶ際に、どのテンプレートPH, PPが作成中のコンテンツにふさわしいものであるかの判断を支援するようになり、テンプレートPH, PPの選択をより速やかに行うことができる。
【００７５】
しかも、サンプル用画像及びサンプル用原稿は、テンプレートPH, PPに仮貼り付けされただけなので、テンプレートPH, PPの選択が終わったら、テンプレートPH, PPからサンプル用画像及びサンプル用原稿を容易に取り除くことができ、テンプレートPH, PPの選択時に、ユーザーがテンプレートPH, PPだけでなくサンプル用画像及びサンプル用原稿をも参照できるようにしても、コンテンツの作成作業が何ら面倒になることがない。
さらに、第１テンプレート記憶手段21にＨＴＭＬ形式のテンプレートPHを記憶させ、第２テンプレート記憶手段22にＰＤＦ形式のテンプレートPPを記憶させ、ＨＴＭＬ形式で記憶されたテンプレートPHを利用してコンテンツを作成すれば、インターネット４において開示するのに最適なコンテンツを作成することができる一方、ＰＤＦ形式で記憶されたテンプレートPPを利用してコンテンツを作成すれば、印刷することにより頒布するのに最適な印刷物となるコンテンツを作成することができる。
【図面の簡単な説明】
【００７６】
【図１】本発明の実施形態に係るコンテンツ作成システムの全体を示す模式図である。
【図２】前記実施形態に係るサーバー装置の概略構成を示すブロック図である。
【図３】前記実施形態に係るＨＴＭＬ形式コンテンツの構造を説明するための模式図である。
【図４】前記実施形態に係るＰＤＦ形式コンテンツの構造を説明するための模式図である。
【図５】前記実施形態に係るコンテンツ作成のワークフローを説明するための流れ図である。
【図６】図５の後に続くワークフローを説明するための流れ図である。
【図７】図６の後に続くワークフローを説明するための流れ図である。
【図８】前記実施形態に係るログインページを説明するための模式図である。
【図９】前記実施形態に係るストーリーの一覧画面を説明するための模式図である。
【図１０】前記実施形態に係るストーリーの編集画面を説明するための模式図である。
【図１１】前記実施形態に係るページの編集画面を説明するための模式図である。
【図１２】前記実施形態に係る別のページの編集画面を説明するための模式図である。
【図１３】前記実施形態に係る画像の一覧画面を説明するための模式図である。
【図１４】前記実施形態に係るページの編集画面を説明するための模式図である。
【図１５】前記実施形態に係る原稿の一覧画面を説明するための模式図である。
【図１６】前記実施形態に係るストーリーの一覧画面を説明するための模式図である。
【図１７】前記実施形態に係る異なるストーリーの一覧画面を説明するための模式図である。
【図１８】前記実施形態に係る画像の追加画面を説明するための模式図である。
【図１９】前記実施形態に係る異なる原稿の一覧画面を説明するための模式図である。
【図２０】前記実施形態に係る原稿の編集画面を説明するための模式図である。
【符号の説明】
【００７７】
２  コンテンツ作成支援サーバー装置
３  クライアント装置
４  電気通信回線としてのインターネット
12  作成案内手段
13  画像選択案内手段
14  原稿選択案内手段
15  テンプレート選択案内手段
21  第１テンプレート記憶手段
22  第２テンプレート記憶手段
23  画像記憶手段
24  原稿記憶手段
GA  画像領域
GD  画像としての画像データ
PH  ＨＴＭＬ形式のテンプレート
PP  ＰＤＦ形式のテンプレート
TA  原稿領域
TD  原稿としての原稿データ
【図１】
2006293493.tif 000003
【図２】
2006293493.tif 000004
【図３】
2006293493.tif 000005
【図４】
2006293493.tif 000006
【図５】
2006293493.tif 000007
【図６】
2006293493.tif 000008
【図７】
2006293493.tif 000009
【図８】
2006293493.tif 000010
【図９】
2006293493.tif 000011
【図１０】
2006293493.tif 000012
【図１１】
2006293493.tif 000013
【図１２】
2006293493.tif 000014
【図１３】
2006293493.tif 000015
【図１４】
2006293493.tif 000016
【図１５】
2006293493.tif 000017
【図１６】
2006293493.tif 000018
【図１７】
2006293493.tif 000019
【図１８】
2006293493.tif 000020
【図１９】
2006293493.tif 000021
【図２０】
2006293493.tif 000022